(57)【要約】【課題】  容器を逆さに反転・倒立、次に正立状に戻すことにより、できるだけ高い確立で錠剤等の粒状物を定量だけ手を触れずに取り出し可能にする。さらに、片手でも定量だけ手を触れずに錠剤を取り出せるようにする。【解決手段】  容器本体２０と,前記容器本体２０の口部２１に螺着する蓋体１０と,前記蓋体１０の天板１１の内側に両面粘着シート４０を用いて接着した粒状物収容部３０とからなる。粒状物収容部３０は所定の間隔を隔てて対向する第一の凹状部３１と第二の凹状部３２とからなり連結部３３により一体化されている。【選択図】  図１
2008228843.tif 000002
【特許請求の範囲】
【請求項１】
容器本体と,前記容器本体の口部に装着する蓋体と,前記蓋体の天板内側に配設した粒状物収容部とからなり、前記粒状物収容部が所定の間隔を隔てて対向する第一の凹状部と第二の凹状部とからなることを特徴とする粒状物収納容器。
【請求項２】
粒状物収容部を蓋体の天板内側に接着したことを特徴とする請求項１記載の粒状物収納容器。
【請求項３】
第一の凹状部と第二の凹状部とで凹部口径または凹部断面形状の少なくとも一方を異ならせたことを特徴とする請求項１記載の粒状物収納容器。
【請求項４】
蓋体をヒンジ機構により片手で開閉可能にしたことを特徴とする請求項１〜３のいずれか１項に記載の粒状物収納容器。
【請求項５】
所定の間隔を隔てて対向する第一の凹状部と第二の凹状部とからなり、前記第一の凹状部と第二の凹状部とは一体的に連結されているとともに、前記第一の凹状部の頂部外面側に接着手段を備えたことを特徴とする粒状物収容部材。
【発明の詳細な説明】
【技術分野】
【０００１】
本発明は、錠剤などの粒状物を収容し、かつ定量ずつ取り出す場合に有用な容器に関する。詳しくは、錠剤などを収納した容器を逆さに反転して蓋側を下にし、再び容器を元の正立状に戻すことにより錠剤を定量だけ取り出せるようにした粒状物収納容器に関する。
【背景技術】
【０００２】
嗜好品、サプリメント、薬剤等は一度の摂取量の適量が定められている。これらは顆粒状または錠剤やカプセルとして形成され、容器に収納され、容器から取り出して使用される。錠剤の容器には遮光性、防湿性が求められる。錠剤や顆粒状の薬剤、調味料などを収納する市販の瓶型容器は物品を収容する容器本体とその開口部を閉蓋する蓋体とからなっている。
【０００３】
薬瓶６の開口部より瓶内部に挿通可能な大きさの計量部材２に、計量部材２の上面に所定個数の錠剤７が収容可能な計量部３を設け、吊部材４で薬瓶６の蓋５の裏面より計量部材２を薬瓶６の蓋５の裏面と所定の距離をおいて吊り下げ支持する。そして、薬瓶６に蓋５をした状態で薬瓶６を逆さにし、元の状態に戻し、軽く数回揺らすだけで、所定の大きさと形状を有する錠剤７を予め設定された所定量だけ計量部材２の計量部３に収容できる。この状態で蓋５を開けることにより、蓋５とともに計量部材２の計量部３に収容された錠剤７を薬瓶６から取出すものとして特開平０９−２７６３７５号公報が提案されている。
【特許文献１】特開平０９−２７６３７５号公報
【発明の開示】
【発明が解決しようとする課題】
【０００４】
しかし特許文献１においては、薬瓶６を逆さに倒立し錠剤を不規則に落下させて所望の個数を計量部に収容するものである。従って、必ずしも希望した個数の錠剤が凹状部3aに収容されるとは限らない。特に凹状部3aの断面形状が略コの字型凹部をなす場合、錠剤が計量部表面または凹状部3aの底面、縁部などに当たって跳ね返り、凹状部3aに確実に収容される確立が低くなる恐れがあった。
薬瓶６内に錠剤が満杯状態であれば全ての凹状部3aに錠剤が入る確立は高い。しかし、錠剤の残量が少なくなってくると何度も薬瓶を反転し倒立〜正立を繰り返す必要がある。それでも全ての凹状部3aに錠剤が入る保障はなかった。
【０００５】
本発明は容器を逆さに倒立、次に正立状に戻すことにより、手を触れずに錠剤等の粒状物を定量だけ取り出し可能にすることを目的とする。さらに、片手でも手を触れずに錠剤を定量取り出せることを目的とする。
【課題を解決するための手段】
【０００６】
本発明にかかる第一の粒状物収納容器は、容器本体と,前記容器本体の口部に装着する蓋体と,前記蓋体の天板内側に配設した粒状物収容部とからなり、前記粒状物収容部が所定の間隔を隔てて対向する第一の凹状部と第二の凹状部とからなることを特徴としたもので、これにより容器を逆さに倒立し、ついで元に正立させる一連動作を一回行うだけで錠剤等の粒状物を定量だけ取り出せる。薬剤に手を触れずに取り出せるので衛生的である。蓋体のねじ部を片手で緩められる場合は片手でも錠剤を取り出せる。
【０００７】
さらに、本発明にかかる第一の粒状物収納容器は、粒状物収容部を蓋体の天板内側に接着したことを特徴としたもので、これにより既に家庭に配備されている薬瓶、調味料瓶等への後付けが可能となる。また、瓶と粒状物収容部とを分離した状態で同梱することにより、使用者は粒状物の定量取出し機能の付属の有無を選択できる。
【０００８】
さらに本発明にかかる第一の粒状物収納容器は、第一の凹状部と第二の凹状部とで凹部口径または凹部断面形状の内、少なくとも一方を異ならせたことを特徴としたもので、第一の凹状部の口径を第二の凹状部の口径より所望に大きくすることにより、粒状物を粒状物収容部へ収容する確立が一層高まる。
【０００９】
さらに本発明にかかる第一の粒状物収納容器は、蓋体をヒンジ機構により片手で開閉可能にしたことを特徴としたもので、樋状(円弧状)の連結部を備えるとともに、前記連結部をヒンジを設けた側に配設するのが好ましい。これにより蓋体の開動作によって第二の凹状部に入っていた錠剤が連結部上に留まるか第一の凹状部に入り、粒状物収容部からこぼれ落ちずに済む。その結果、片手でも容易に定量の錠剤等を取り出せる。
【発明の効果】
【００１０】
上記構成により本発明の粒状物収納容器は、錠剤等の粒状物が入った容器を逆さに倒立し、次に容器を正立させることにより錠剤等を定量だけ凹状部に収納し、手を触れずに錠剤を取り出せる。また、蓋体のねじ部を片手で緩められる場合、片手で錠剤等を定量取り出しできる。ヒンジ開閉する蓋体の場合も手を触れずに片手で錠剤等を定量取り出しできる。
【発明を実施するための最良の形態】
【００１１】
本発明にかかる粒状物収納容器は上述の通りである。瓶、缶などの粒状物収納容器は一般的にガラスまたは樹脂、金属などの部材からなる。前記容器の各部は大まかに言って、容器本体および口部、該口部にねじ締結または装着する蓋体(キャップ)、肩部、胴部、底部から構成されている。粒状物収納容器の横断面形状は矩形、正方形、楕円形、円形など任意の形状が可能である。
【００１２】
蓋体の天板内側に配設する粒状物収容部は、所定の間隔を隔てて対向する第一の凹状部と第二の凹状部と連結部とからなる。連結部は前記第一の凹状部と第二の凹状部とを一体的に連結すると共に、倒立した容器を正立状に戻す際、第一の凹状部に入った錠剤がミス無く第二の凹状部に入るようガイドする役割を果たすものである。
粒状物収容部は、樹脂またはガラス、金属などの射出成形可能な部材で構成するのが望ましい。勿論、金属板をプレス加工してよいことは自明である。
【００１３】
なお、各凹状部の凹部口径は定量する錠剤数に応じて任意に設定してよいことも自明である。凹状部の断面形状についても半球状の他にすり鉢型など、粒体の外形や定量数に応じ任意に設定してよいことも同様である。さらに、第一の凹状部と第二の凹状部とで凹部口径または凹部断面形状の少なくとも一方を異ならせてよいことも自明である。
【００１４】
蓋体は金属または樹脂部材で構成され、金属はプレス加工、樹脂は射出成形などの工法で形成される。蓋体が樹脂製の場合、蓋体と粒状物収容部を一体成形してもよい。勿論、個々に成形し後で合体させるようにしてもよい。蓋体と粒状物収容部の一体化手段は接着剤または両面粘着シート等を用いるなど任意に実施すればよい。
【００１５】
蓋体や粒状物収容部を構成する樹脂材料は任意としてよい。例えばＡＢＳ(アクリロニトリル・ブタジェン・スチレン)、ＰＳ(ポリスチレン)などの他に、ポリエチレンテレフタレート、ポリブチレンテレフタレート，ポリエチレンナフタレート，ポリカーボネート，ポリアリレート、又はこれらの共重合体等の熱可塑性ポリエステル、これらの樹脂あるいは他の樹脂とのブレンド物が好適であり、特に、ポリエチレンテレフタレート等のエチレンテレフタレート系熱可塑性ポリエステルが好適である。
また、アクリロニトリル樹脂，ポリプロピレン，プロピレン−エチレン共重合体，ポリエチレン等も使用することができる。
【実施例】
【００１６】
以下、本発明の一実施例における粒状物収納容器を図面とともに説明する。図１は本発明の一実施例における粒状物収納容器の要部正面図で一部を断面にしたもの、図２は図１を切断線Ｓ−Ｓで切断した粒状物収容部の断面図、図３は図１の粒状物収納容器を逆さに倒立した状態の要部正面図で一部を断面にしたもの、図４は図３の粒状物収納容器を正立状態に戻した要部正面図で一部を断面にしたもの、図５は本発明のもう一つの実施例における粒状物収納容器の要部正面図で一部を断面にしたもの、図６は本発明のもう一つの実施例における粒状物収容部の断面図、図７は図６を切断線Ｓ１−Ｓ１で切断した粒状物収容部の断面図を示す。
【００１７】
図1〜図４に示す粒状物収納容器１００は容器本体２０と,前記容器本体２０の口部２１に螺着する蓋体１０と,前記蓋体１０の天板１１の内側に両面粘着シート４０を用いて接着した粒状物収容部３０とからなる。蓋体１０はゴムパッキン１５を用い密閉されている。
粒状物収容部３０は所定の間隔を隔てて対向する第一の凹状部３１と第二の凹状部３２とからなり連結部３３により一体化されている。
図２は粒状物収容部３０の一例を示す縦断面図である。この場合はＰＳ樹脂を射出成形してなる。
【００１８】
第二の凹状部３２に錠剤５０を１個だけ定量する場合の一連動作について説明する。図３に示すように、まず、粒状物収納容器１００を逆さに倒立させると容器本体２０内に収納されていた錠剤５０が蓋体１０側に移動し、その内の１個が第一の凹状部３１内に収まる,もしくは複数個の錠剤５０が積み重なって第一の凹状部３１上に載る。
次に、図４に示すように、粒状物収納容器１００を元の正立状態にすばやく戻すと第一の凹状部３１内に収まっていた１個の錠剤５０,もしくは載っていた複数個の錠剤が落下し１個の錠剤５０,もしくは複数個の錠剤が第二の凹状部３２に載る。
複数個の錠剤が載った場合は粒状物収納容器１００を軽く左右に振ってやると重なって載っていた余分の錠剤が振り落とされ第二の凹状部３２内に１個の錠剤５０だけが残る。これにより目的とする１個の錠剤を定量できる。
【００１９】
その後、蓋体１０のねじを緩め、開口することにより手を触れずに１個の錠剤を取り出せる。蓋体のねじ部を片手で緩められる場合は片手でも錠剤を取り出せる。
【００２０】
なお上記実施例において、粒状物収容部３０を構成する第一の凹状部３１と第二の凹状部３２とで凹部口径または凹部断面形状の内、少なくとも一方を異ならせてよいことは前述した。図５にその一例を示す。この場合は、第一の凹状部３６の先端部口径を第二の凹状部３７より大きくなるよう鍔状に延出してなる。これにより確実に第一の凹状部３６内により多くの錠剤を収納することができる。
【００２１】
また、連結部３３の構成についても任意に実施してよいことも自明である。図６、図７にその一例を示す。この場合の粒状物収容部６３０は、所定間隔を隔てて対向する第一の凹状部６３１と第二の凹状部６３２とを樋状の連結部６３３(断面が円弧状)で一体的に連結してなる。第一及び第二の凹部を半球状とした場合、連結部６３３の円弧の半径を半球状凹部の半径と同じにした。
【００２２】
樋状の連結部６３３を備えることにより第一の凹状部６３１に入った錠剤を第二の凹状部６３２に円滑に移し変えることができる。即ち、粒状物収納容器１００をまず逆さに倒立させ第一の凹状部６３１内に錠剤を載せる。次に、粒状物収納容器１００を元の正立状に戻す。正立状に戻す際、第一の凹状部６３１に収まっていた錠剤が連結部６３３の樋内を滑り落ち第二の凹状部６３２内に落ち着く。錠剤が樋内を滑り落ちる速度は、粒状物収納容器１００を正立に戻す際の傾け角度と速度を手加減して調節すればよい。
なお、粒状物収納容器１００を倒立状態からいったん略水平状に横倒しし、樋状の連結部６３３に錠剤が載ったことを確認した後、粒状物収納容器１００を正立状態に戻し、錠剤が樋上を滑って第二の凹状部６３２に移動するようにしてもよい。
【００２３】
さらに、蓋体１０はねじを用いた開閉の他に、ヒンジ機構により片手で開閉可能にしてよいことは前述した。ヒンジ機構を用いた蓋体の場合、ヒンジを設けた側に連結部６３３を配設するのが好ましい。これにより蓋体を開く動作によって第二の凹状部６３２に入っていた錠剤が連結部６３３上に留まるか,第一の凹状部６３１に入り、粒状物収容部６３０からこぼれ落ちずに済む。その結果、片手でも手を触れずに容易に定量の錠剤等を取り出せる。 
【産業上の利用可能性】
【００２４】
本発明は、錠剤やカプセル、顆粒等の入った薬瓶に限るものでなく、塩、砂糖などの調味料が入った容器、洗剤、嗜好品、サプリメントが入った容器等にも対応できる。なお、収納対象物は粒状物の他に粉末状、液状であっても一向に差し支えない。
【図面の簡単な説明】
【００２５】
【図１】本発明の一実施例における粒状物収納容器の要部正面図
【図２】図１を切断線Ｓ−Ｓで切断した粒状物収容部の断面図
【図３】図１の粒状物収納容器を逆さに倒立した状態の要部正面図
【図４】図３の粒状物収納容器を正立状態に戻した要部正面図
【図５】本発明のもう一つの実施例における粒状物収納容器の要部正面図
【図６】本発明のもう一つの実施例における粒状物収容部の断面図
【図７】図６を切断線Ｓ１−Ｓ１で切断した粒状物収容部の断面図
【符号の説明】
【００２６】
１０  蓋体
１１  天板
１５  ゴムパッキン
２０  容器本体
２１  口部
３０、３５、６３０  粒状物収容部
３１、３６、６３１  第一の凹状部
３２、３７、６３２  第二の凹状部
３３、６３３  連結部
４０  両面粘着シート
５０  錠剤
１００、２００  粒状物収納容器
【図１】
2008228843.tif 000003
【図２】
2008228843.tif 000004
【図３】
2008228843.tif 000005
【図４】
2008228843.tif 000006
【図５】
2008228843.tif 000007
【図６】
2008228843.tif 000008
【図７】
2008228843.tif 000009